(57)【要約】【課題】本発明は滑り防止固定自撮り棒を開示した。【解決手段】位置制限ブロックを含み、前記位置制限ブロックな中には左方に開口した移動チャンバが設置され、前記移動チャンバの中には長さを調節できる伸縮機構が設置され、前記移動チャンバの右側には取手が設置され、前記取手の中には延長できる取手機構が設置され、移動ブロックを引き動かし、伸縮ブロックを伸縮溝の中でスライドさせ、自撮り棒の長さを増やし、固定機構の中の引っ掛かり板と、連接ブロックと、挟みブロックとが協働して携帯の四周を固定し、携帯が滑り落ちないことを保証し、伸縮機構の中の移動ブロックが左右に移動し、自撮り棒の長さを調節し、補助機構の中のブレスレットが手に固定され、第一支持ブロックと第二支持ブロックを広げ、平らな台で本発明設備を支持し、延長ブロックと取手との間の距離を増加できる。【選択図】図１
2020177205.tif 000002
【特許請求の範囲】
【請求項１】
位置制限ブロックを含み、前記位置制限ブロックな中には左方に開口した移動チャンバが設置され、前記移動チャンバの中には長さを調節できる伸縮機構が設置され、前記移動チャンバの右側には取手が設置され、前記取手の中には延長できる取手機構が設置され、前記取手機構の中には回転溝と第一ネジ山孔とが設置され、前記伸縮機構の左側には固定機構が設置され、前記固定機構は固定ブロックを含み、前記固定ブロックの左側端面には引っ掛かりブロックが固定的に装着され、前記引っ掛かりブロックの中には上方に開口した第二ネジ山孔が設置され、前記第二ネジ山孔の後側にはバネ溝が上下対称的に設置され、前記伸縮機構の上方には補助機構が設置され、前記補助機構の中には連接帯が設置され、前記連接帯の右側端面には連接ブレスレットが固定的に連結されていることを特徴とする請求項１に記載の滑り防止固定自撮り棒。
【請求項２】
前記伸縮機構は前記移動チャンバの中にスライドできるように装着されている移動ブロックを含み、前記移動ブロックの中には伸縮溝が設置され、前記取手の左側端面は前記位置制限ブロックの右側端面と固定的に連結され、前記取手の左側端面には前記移動ブロックを貫通している伸縮ロッドが固定的に装着され、前記伸縮溝の中には伸縮ブロックがスライドできるように装着され、前記伸縮ブロックと前記伸縮ロッドとが固定的に連結されていることを特徴とする請求項１に記載の滑り防止固定自撮り棒。
【請求項３】
前記固定機構は前記移動ブロックの左端端面に上下対称的に固定的に装着されている補助ブロックを含み、下側の前記補助ブロックの中には上方に開口した補助孔が設置され、前記補助孔の中には上側の前記補助ブロックを貫通している補助ロッドがネジ山により装着され、前記補助ロッドの頂部端面には補助回転盤が固定的に装着され、前記補助ブロックの間には固定ブロックがスライドできるように装着され、前記固定ブロックと前記引っ掛かりブロックとが固定的に連結され、前記第二ネジ山孔の中には第二ネジ山ロッドがスライドできるように装着され、前記第二ネジ山ロッドには挟みブロックが回転できるように装着され、前記挟みブロックの底部端面には第二パッドが固定的に装着され、前記第二ネジ山ロッドの頂部端面には回転盤が固定的に装着され、前記引っ掛かりブロックの前側端面にはデータチャンバが設置され、前記バネ溝の中にはスライドロッドがスライドできるように装着され、前記スライドロッドの右側端面と前記バネ溝の右側内壁との間にはバネが固定的に装着され、前記スライドロッドの左側端面には引っ掛かり板が固定的に装着され、前記引っ掛かり板の右側端面には第一パッドが上下対称的に固定的に装着され、前記引っ掛かり板の左側端面には引きブロックが固定的に装着され、前記引っ掛かりブロックの底部端面には連接ブロックが固定的に装着され、前記連接ブロックの頂部端面には第三パッドが固定的に装着されていることを特徴とする請求項１に記載の滑り防止固定自撮り棒。
【請求項４】
前記取手機構は前記取手の右側端面に固定的に装着されている第一ネジ山ロッドを含み、前記回転溝の中には回転ブロックがスライドできるように装着され、前記回転ブロックの右側端面には延長ブロックが固定的に装着され、前記第一ネジ山孔が前記延長ブロックの左側端面に設置され、前記第一ネジ山孔と前記第一ネジ山ロッドとがネジ山により連結され、前記取手の外側には取手カバーが被せられていることを特徴とする請求項１に記載の滑り防止固定自撮り棒。
【請求項５】
前記補助機構は前記ブレスレットに固定的に装着されている面ファスナーを含み、前記連接帯と前記位置制限ブロックとが固定的に連結され、前記移動ブロックの後側端面には固定板が上下対称的に固定的に装着され、上下の前記固定板の間には第一回転ロッドが回転できるように装着され、前記第一回転ロッドには第一支持ブロックが回転できるように装着され、前記第一支持ブロックの中には前方に開口した支持チャンバが設置され、前記支持チャンバの上下内壁の間には第二回転ロッドが回転できるように装着され、前記第二回転ロッドには第二支持ブロックが回転できるように装着され、前記第一支持ブロックと前記移動ブロックとが互いに止めることができることを特徴とする請求項１に記載の滑り防止固定自撮り棒。
【発明の詳細な説明】
【技術分野】
【０００１】
本発明は自撮り棒分野を取り上げて、具体的には滑り防止固定自撮り棒である。
【背景技術】
【０００２】
人は写真を撮る時、よく自撮り棒を使い、自撮り棒は写真を撮ることに便利をもたらし、また、自撮り棒で写真を撮ると撮影範囲を増加でき、しかし、現在の技術で一般の自撮り棒は携帯の両側を固定することしかできなく、携帯が固定されなく両側から落ちる可能性があり、損失を招き、また自撮り棒を使用する時、自撮り棒を手から滑り落とし、設備を壊してしまう可能性もあり、取手の長さも調節できなく、手のサイズが握り心地に対する需要を満たすことができなく、一般の自撮り棒にはホルダーがなく、使用者が長時間に使用すると疲れを感じ、そのため、取手の長さを調節でき、支持機能を有し、携帯の四周を固定でき、自撮り棒を手に縛ることができる滑り防止固定自撮り棒が必要とされている。
【先行技術文献】
【特許文献】
【０００３】
【特許文献１】中国特許出願公開第１０５１８２６６０号明細書
【発明の概要】
【発明が解決しようとする課題】
【０００４】
本発明は滑り防止固定自撮り棒を提供し、従来技術における上記欠点を解消することを目的とする。
【課題を解決するための手段】
【０００５】
本発明の実施例の滑り防止固定自撮り棒は、位置制限ブロックを含み、前記位置制限ブロックな中には左方に開口した移動チャンバが設置され、前記移動チャンバの中には長さを調節できる伸縮機構が設置され、前記移動チャンバの右側には取手が設置され、前記取手の中には延長できる取手機構が設置され、前記取手機構の中には回転溝と第一ネジ山孔とが設置され、前記伸縮機構の左側には固定機構が設置され、前記固定機構は固定ブロックを含み、前記固定ブロックの左側端面には引っ掛かりブロックが固定的に装着され、前記引っ掛かりブロックの中には上方に開口した第二ネジ山孔が設置され、前記第二ネジ山孔の後側にはバネ溝が上下対称的に設置され、前記伸縮機構の上方には補助機構が設置され、前記補助機構の中には連接帯が設置され、前記連接帯の右側端面には連接ブレスレットが固定的に連結されている。
【０００６】
更の技術プランとしては、前記伸縮機構は前記移動チャンバの中にスライドできるように装着されている移動ブロックを含み、前記移動ブロックの中には伸縮溝が設置され、前記取手の左側端面は前記位置制限ブロックの右側端面と固定的に連結され、前記取手の左側端面には前記移動ブロックを貫通している伸縮ロッドが固定的に装着され、前記伸縮溝の中には伸縮ブロックがスライドできるように装着され、前記伸縮ブロックと前記伸縮ロッドとが固定的に連結される。
【０００７】
更の技術プランとしては、前記固定機構は前記移動ブロックの左端端面に上下対称的に固定的に装着されている補助ブロックを含み、下側の前記補助ブロックの中には上方に開口した補助孔が設置され、前記補助孔の中には上側の前記補助ブロックを貫通している補助ロッドがネジ山により装着され、前記補助ロッドの頂部端面には補助回転盤が固定的に装着され、前記補助ブロックの間には固定ブロックがスライドできるように装着され、前記固定ブロックと前記引っ掛かりブロックとが固定的に連結され、前記第二ネジ山孔の中には第二ネジ山ロッドがスライドできるように装着され、前記第二ネジ山ロッドには挟みブロックが回転できるように装着され、前記挟みブロックの底部端面には第二パッドが固定的に装着され、前記第二ネジ山ロッドの頂部端面には回転盤が固定的に装着され、前記引っ掛かりブロックの前側端面にはデータチャンバが設置され、前記バネ溝の中にはスライドロッドがスライドできるように装着され、前記スライドロッドの右側端面と前記バネ溝の右側内壁との間にはバネが固定的に装着され、前記スライドロッドの左側端面には引っ掛かり板が固定的に装着され、前記引っ掛かり板の右側端面には第一パッドが上下対称的に固定的に装着され、前記引っ掛かり板の左側端面には引きブロックが固定的に装着され、前記引っ掛かりブロックの底部端面には連接ブロックが固定的に装着され、前記連接ブロックの頂部端面には第三パッドが固定的に装着されている。
【０００８】
更の技術プランとしては、前記取手機構は前記取手の右側端面に固定的に装着されている第一ネジ山ロッドを含み、前記回転溝の中には回転ブロックがスライドできるように装着され、前記回転ブロックの右側端面には延長ブロックが固定的に装着され、前記第一ネジ山孔が前記延長ブロックの左側端面に設置され、前記第一ネジ山孔と前記第一ネジ山ロッドとがネジ山により連結され、前記取手の外側には取手カバーが被せられている。
【０００９】
更の技術プランとしては、前記補助機構は前記ブレスレットに固定的に装着されている面ファスナーを含み、前記連接帯と前記位置制限ブロックとが固定的に連結され、前記移動ブロックの後側端面には固定板が上下対称的に固定的に装着され、上下の前記固定板の間には第一回転ロッドが回転できるように装着され、前記第一回転ロッドには第一支持ブロックが回転できるように装着され、前記第一支持ブロックの中には前方に開口した支持チャンバが設置され、前記支持チャンバの上下内壁の間には第二回転ロッドが回転できるように装着され、前記第二回転ロッドには第二支持ブロックが回転できるように装着され、前記第一支持ブロックと前記移動ブロックとが互いに止めることができる。
【発明の効果】
【００１０】
本発明の有益な効果は：本発明は構造が簡単であり、操作が簡単であり、固定機構の中の引っ掛かり板と、連接ブロックと、挟みブロックとが協働して携帯の四周を固定し、携帯が滑り落ちないことを保証し、伸縮機構の中の移動ブロックが左右に移動し、自撮り棒の長さを調節し、補助機構の中のブレスレットが手に固定され、自撮り棒が手から滑り落ちて地面に落ちることを避け、設備が壊れることにより生じた損失を減らし、第一支持ブロックと第二支持ブロックを広げ、平らな台で本発明設備を支持し、使用者の疲労を取り、取手機構の中の延長ブロックが回転し、延長ブロックと取手との間の距離を増加でき、使用者の握られる長さを増やし、更に多くの人の握り心地に対する需要を満たすことができ、普及する価値がある。
【図面の簡単な説明】
【００１１】
【図１】図１は本発明の構成模式図
【図２】図２は図１の「Ａ−Ａ」方向の断面構成模式図
【図３】図２は図１の「Ｂ−Ｂ」方向の断面構成模式図
【発明を実施するための形態】
【００１２】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１３】
図１〜３を参照し、本発明の実施例の滑り防止固定自撮り棒は、位置制限ブロック５２を含み、前記位置制限ブロック５２な中には左方に開口した移動チャンバ２３が設置され、前記移動チャンバ２３の中には長さを調節できる伸縮機構７０が設置され、前記移動チャンバ２３の右側には取手２４が設置され、前記取手２４の中には延長できる取手機構８０が設置され、前記取手機構８０の中には回転溝２６と第一ネジ山孔３０とが設置され、前記伸縮機構７０の左側には固定機構９０が設置され、前記固定機構９０は固定ブロック１９を含み、前記固定ブロック１９の左側端面には引っ掛かりブロック４４が固定的に装着され、前記引っ掛かりブロック４４の中には上方に開口した第二ネジ山孔４３が設置され、前記第二ネジ山孔４３の後側にはバネ溝１７が上下対称的に設置され、前記伸縮機構７０の上方には補助機構１００が設置され、前記補助機構１００の中には連接帯３３が設置され、前記連接帯３３の右側端面には連接ブレスレット３２が固定的に連結されている。
【００１４】
有益的あるいは例示的には、前記伸縮機構７０は前記移動チャンバ２３の中にスライドできるように装着されている移動ブロック３６を含み、前記移動ブロック３６の中には伸縮溝３４が設置され、前記取手２４の左側端面は前記位置制限ブロック５２の右側端面と固定的に連結され、前記取手２４の左側端面には前記移動ブロック３６を貫通している伸縮ロッド２２が固定的に装着され、前記伸縮溝３４の中には伸縮ブロック３５がスライドできるように装着され、前記伸縮ブロック３５と前記伸縮ロッド２２とが固定的に連結され、これにより移動ブロック３６を引き動かし、伸縮ブロック３５を伸縮溝３４の中でスライドさせ、移動ブロック３６が移動チャンバ２３の中でスライドし、自撮り棒の長さを増やす。
【００１５】
有益的あるいは例示的には、前記固定機構９０は前記移動ブロック３６の左端端面に上下対称的に固定的に装着されている補助ブロック２１を含み、下側の前記補助ブロック２１の中には上方に開口した補助孔２０が設置され、前記補助孔２０の中には上側の前記補助ブロック２１を貫通している補助ロッド３７がネジ山により装着され、前記補助ロッド３７の頂部端面には補助回転盤３８が固定的に装着され、前記補助ブロック２１の間には固定ブロック１９がスライドできるように装着され、前記固定ブロック１９と前記引っ掛かりブロック４４とが固定的に連結され、前記第二ネジ山孔４３の中には第二ネジ山ロッド３９がスライドできるように装着され、前記第二ネジ山ロッド３９には挟みブロック４１が回転できるように装着され、前記挟みブロック４１の底部端面には第二パッド４２が固定的に装着され、前記第二ネジ山ロッド３９の頂部端面には回転盤４０が固定的に装着され、前記引っ掛かりブロック４４の前側端面にはデータチャンバ４５が設置され、前記バネ溝１７の中にはスライドロッド１１がスライドできるように装着され、前記スライドロッド１１の右側端面と前記バネ溝１７の右側内壁との間にはバネ１８が固定的に装着され、前記スライドロッド１１の左側端面には引っ掛かり板１３が固定的に装着され、前記引っ掛かり板１３の右側端面には第一パッド１４が上下対称的に固定的に装着され、前記引っ掛かり板１３の左側端面には引きブロック１２が固定的に装着され、前記引っ掛かりブロック４４の底部端面には連接ブロック１６が固定的に装着され、前記連接ブロック１６の頂部端面には第三パッド１５が固定的に装着され、これにより引きブロック１２を引き動かし、携帯を引っ掛かり板１３と引っ掛かりブロック４４との間に置き、バネ１８により携帯の左右側を固定し、回転盤４０を回転させて第二ネジ山ロッド３９を連動させて回転させ、挟みブロック４１と連接ブロック１６とが携帯の上下側を固定し、携帯が滑り落ちないことを保証する。
【００１６】
有益的あるいは例示的には、前記取手機構８０は前記取手２４の右側端面に固定的に装着されている第一ネジ山ロッド２９を含み、前記回転溝２６の中には回転ブロック２７がスライドできるように装着され、前記回転ブロック２７の右側端面には延長ブロック２８が固定的に装着され、前記第一ネジ山孔３０が前記延長ブロック２８の左側端面に設置され、前記第一ネジ山孔３０と前記第一ネジ山ロッド２９とがネジ山により連結され、前記取手２４の外側には取手カバー２５が被せられ、これにより延長ブロック２８を回転させ、回転ブロック２７を回転溝２６の中でスライドさせ、第一ネジ山ロッド２９と取手２４との間の距離を増やす。
【００１７】
有益的あるいは例示的には、前記補助機構１００は前記ブレスレット３２に固定的に装着されている面ファスナー３１を含み、前記連接帯３３と前記位置制限ブロック５２とが固定的に連結され、前記移動ブロック３６の後側端面には固定板４８が上下対称的に固定的に装着され、上下の前記固定板４８の間には第一回転ロッド４７が回転できるように装着され、前記第一回転ロッド４７には第一支持ブロック４９が回転できるように装着され、前記第一支持ブロック４９の中には前方に開口した支持チャンバ５１が設置され、前記支持チャンバ５１の上下内壁の間には第二回転ロッド４６が回転できるように装着され、前記第二回転ロッド４６には第二支持ブロック５０が回転できるように装着され、前記第一支持ブロック４９と前記移動ブロック３６とが互いに止めることができ、これにより手にブレスレット３２をつけ、面ファスナー３１を利用してブレスレット３２を貼り付け、自撮り棒の落ちることを避け、第一支持ブロック４９を回転させた後で第二支持ブロック５０を回転させ、八の字形を形成し、支持することができる。
【００１８】
使用するとき、移動ブロック３６を引き動かし、伸縮ブロック３５を伸縮溝３４の中でスライドさせ、移動ブロック３６が移動チャンバ２３の中でスライドし、自撮り棒の長さを増やし、引きブロック１２を引き動かし、携帯を引っ掛かり板１３と引っ掛かりブロック４４との間に置き、バネ１８により携帯の左右側を固定し、回転盤４０を回転させて第二ネジ山ロッド３９を連動させて回転させ、挟みブロック４１と連接ブロック１６とが携帯の上下側を固定し、携帯が滑り落ちないことを保証し、延長ブロック２８を回転させ、回転ブロック２７を回転溝２６の中でスライドさせ、第一ネジ山ロッド２９と取手２４との間の距離を増やし、サイズが異なる手が握り心地に対する需要を満たし、手にブレスレット３２をつけ、面ファスナー３１を利用してブレスレット３２を貼り付け、自撮り棒の落ちることを避け、第一支持ブロック４９を回転させた後で第二支持ブロック５０を回転させ、八の字形を形成し、支持することができる。
【００１９】
本発明の有益な効果は：本発明は構造が簡単であり、操作が簡単であり、固定機構の中の引っ掛かり板と、連接ブロックと、挟みブロックとが協働して携帯の四周を固定し、携帯が滑り落ちないことを保証し、伸縮機構の中の移動ブロックが左右に移動し、自撮り棒の長さを調節し、補助機構の中のブレスレットが手に固定され、自撮り棒が手から滑り落ちて地面に落ちることを避け、設備が壊れることにより生じた損失を減らし、第一支持ブロックと第二支持ブロックを広げ、平らな台で本発明設備を支持し、使用者の疲労を取り、取手機構の中の延長ブロックが回転し、延長ブロックと取手との間の距離を増加でき、使用者の握られる長さを増やし、更に多くの人の握り心地に対する需要を満たすことができ、普及する価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177205.tif 000003
【図２】
2020177205.tif 000004
【図３】
2020177205.tif 000005
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
位置制限ブロックを含み、前記位置制限ブロックの中には左方に開口した移動チャンバが設置され、前記移動チャンバの中には長さを調節できる伸縮機構が設置され、前記移動チャンバの右側には取手が設置され、前記取手の中には延長できる取手機構が設置され、前記取手機構の中には回転溝と第一ネジ山孔とが設置され、前記伸縮機構の左側には固定機構が設置され、前記固定機構は固定ブロックを含み、前記固定ブロックの左側端面には引っ掛かりブロックが固定的に装着され、前記引っ掛かりブロックの中には上方に開口した第二ネジ山孔が設置され、前記第二ネジ山孔の後側にはバネ溝が上下対称的に設置され、前記伸縮機構の上方には補助機構が設置され、前記補助機構の中には連接帯が設置され、前記連接帯の右側端面には連接ブレスレットが固定的に連結されており、
前記伸縮機構は前記移動チャンバの中にスライドできるように装着されている移動ブロックを含み、前記移動ブロックの中には伸縮溝が設置され、前記取手の左側端面は前記位置制限ブロックの右側端面と固定的に連結され、前記取手の左側端面には前記移動ブロックを貫通している伸縮ロッドが固定的に装着され、前記伸縮溝の中には伸縮ブロックがスライドできるように装着され、前記伸縮ブロックと前記伸縮ロッドとが固定的に連結されており、
前記固定機構は前記移動ブロックの左端端面に上下対称的に固定的に装着されている補助ブロックを含み、下側の前記補助ブロックの中には上方に開口した補助孔が設置され、前記補助孔の中には上側の前記補助ブロックを貫通している補助ロッドがネジ山により装着され、前記補助ロッドの頂部端面には補助回転盤が固定的に装着され、前記補助ブロックの間には固定ブロックがスライドできるように装着され、前記固定ブロックと前記引っ掛かりブロックとが固定的に連結され、前記第二ネジ山孔の中には第二ネジ山ロッドがスライドできるように装着され、前記第二ネジ山ロッドには挟みブロックが回転できるように装着され、前記挟みブロックの底部端面には第二パッドが固定的に装着され、前記第二ネジ山ロッドの頂部端面には回転盤が固定的に装着され、前記バネ溝の中にはスライドロッドがスライドできるように装着され、前記スライドロッドの右側端面と前記バネ溝の右側内壁との間にはバネが固定的に装着され、前記スライドロッドの左側端面には引っ掛かり板が固定的に装着され、前記引っ掛かり板の右側端面には第一パッドが上下対称的に固定的に装着され、前記引っ掛かり板の左側端面には引きブロックが固定的に装着され、前記引っ掛かりブロックの底部端面には連接ブロックが固定的に装着され、前記連接ブロックの頂部端面には第三パッドが固定的に装着されており、
前記取手機構は前記取手の右側端面に固定的に装着されている第一ネジ山ロッドを含み、前記回転溝の中には回転ブロックがスライドできるように装着され、前記回転ブロックの右側端面には延長ブロックが固定的に装着され、前記第一ネジ山孔が前記延長ブロックの左側端面に設置され、前記第一ネジ山孔と前記第一ネジ山ロッドとがネジ山により連結され、前記取手の外側には取手カバーが被せられており、
前記補助機構は前記ブレスレットに固定的に装着されている面ファスナーを含み、前記連接帯と前記位置制限ブロックとが固定的に連結され、前記移動ブロックの後側端面には固定板が上下対称的に固定的に装着され、上下の前記固定板の間には第一回転ロッドが回転できるように装着され、前記第一回転ロッドには第一支持ブロックが回転できるように装着され、前記第一支持ブロックの中には前方に開口した支持チャンバが設置され、前記支持チャンバの上下内壁の間には第二回転ロッドが回転できるように装着され、前記第二回転ロッドには第二支持ブロックが回転できるように装着されることを特徴とする滑り防止固定自撮り棒。
【手続補正２】
【補正対象書類名】明細書
【補正対象項目名】全文
【補正方法】変更
【補正の内容】
【発明の詳細な説明】
【技術分野】
【０００１】
本発明は自撮り棒分野を取り上げて、具体的には滑り防止固定自撮り棒である。
【背景技術】
【０００２】
人は写真を撮る時、よく自撮り棒を使い、自撮り棒は写真を撮ることに便利をもたらし、また、自撮り棒で写真を撮ると撮影範囲を増加でき、しかし、現在の技術で一般の自撮り棒は携帯の両側を固定することしかできなく、携帯が固定されなく両側から落ちる可能性があり、損失を招き、また自撮り棒を使用する時、自撮り棒を手から滑り落とし、設備を壊してしまう可能性もあり、取手の長さも調節できなく、手のサイズが握り心地に対する需要を満たすことができなく、一般の自撮り棒にはホルダーがなく、使用者が長時間に使用すると疲れを感じ、そのため、取手の長さを調節でき、支持機能を有し、携帯の四周を固定でき、自撮り棒を手に縛ることができる滑り防止固定自撮り棒が必要とされている。
【先行技術文献】
【特許文献】
【０００３】
【特許文献１】中国特許出願公開第１０５１８２６６０号明細書
【発明の概要】
【発明が解決しようとする課題】
【０００４】
本発明は滑り防止固定自撮り棒を提供し、従来技術における上記欠点を解消することを目的とする。
【課題を解決するための手段】
【０００５】
本発明の実施例の滑り防止固定自撮り棒は、位置制限ブロックを含み、前記位置制限ブロックの中には左方に開口した移動チャンバが設置され、前記移動チャンバの中には長さを調節できる伸縮機構が設置され、前記移動チャンバの右側には取手が設置され、前記取手の中には延長できる取手機構が設置され、前記取手機構の中には回転溝と第一ネジ山孔とが設置され、前記伸縮機構の左側には固定機構が設置され、前記固定機構は固定ブロックを含み、前記固定ブロックの左側端面には引っ掛かりブロックが固定的に装着され、前記引っ掛かりブロックの中には上方に開口した第二ネジ山孔が設置され、前記第二ネジ山孔の後側にはバネ溝が上下対称的に設置され、前記伸縮機構の上方には補助機構が設置され、前記補助機構の中には連接帯が設置され、前記連接帯の右側端面には連接ブレスレットが固定的に連結されている。
【０００６】
更の技術プランとしては、前記伸縮機構は前記移動チャンバの中にスライドできるように装着されている移動ブロックを含み、前記移動ブロックの中には伸縮溝が設置され、前記取手の左側端面は前記位置制限ブロックの右側端面と固定的に連結され、前記取手の左側端面には前記移動ブロックを貫通している伸縮ロッドが固定的に装着され、前記伸縮溝の中には伸縮ブロックがスライドできるように装着され、前記伸縮ブロックと前記伸縮ロッドとが固定的に連結される。
【０００７】
更の技術プランとしては、前記固定機構は前記移動ブロックの左端端面に上下対称的に固定的に装着されている補助ブロックを含み、下側の前記補助ブロックの中には上方に開口した補助孔が設置され、前記補助孔の中には上側の前記補助ブロックを貫通している補助ロッドがネジ山により装着され、前記補助ロッドの頂部端面には補助回転盤が固定的に装着され、前記補助ブロックの間には固定ブロックがスライドできるように装着され、前記固定ブロックと前記引っ掛かりブロックとが固定的に連結され、前記第二ネジ山孔の中には第二ネジ山ロッドがスライドできるように装着され、前記第二ネジ山ロッドには挟みブロックが回転できるように装着され、前記挟みブロックの底部端面には第二パッドが固定的に装着され、前記第二ネジ山ロッドの頂部端面には回転盤が固定的に装着され、前記バネ溝の中にはスライドロッドがスライドできるように装着され、前記スライドロッドの右側端面と前記バネ溝の右側内壁との間にはバネが固定的に装着され、前記スライドロッドの左側端面には引っ掛かり板が固定的に装着され、前記引っ掛かり板の右側端面には第一パッドが上下対称的に固定的に装着され、前記引っ掛かり板の左側端面には引きブロックが固定的に装着され、前記引っ掛かりブロックの底部端面には連接ブロックが固定的に装着され、前記連接ブロックの頂部端面には第三パッドが固定的に装着されている。
【０００８】
更の技術プランとしては、前記取手機構は前記取手の右側端面に固定的に装着されている第一ネジ山ロッドを含み、前記回転溝の中には回転ブロックがスライドできるように装着され、前記回転ブロックの右側端面には延長ブロックが固定的に装着され、前記第一ネジ山孔が前記延長ブロックの左側端面に設置され、前記第一ネジ山孔と前記第一ネジ山ロッドとがネジ山により連結され、前記取手の外側には取手カバーが被せられている。
【０００９】
更の技術プランとしては、前記補助機構は前記ブレスレットに固定的に装着されている面ファスナーを含み、前記連接帯と前記位置制限ブロックとが固定的に連結され、前記移動ブロックの後側端面には固定板が上下対称的に固定的に装着され、上下の前記固定板の間には第一回転ロッドが回転できるように装着され、前記第一回転ロッドには第一支持ブロックが回転できるように装着され、前記第一支持ブロックの中には前方に開口した支持チャンバが設置され、前記支持チャンバの上下内壁の間には第二回転ロッドが回転できるように装着され、前記第二回転ロッドには第二支持ブロックが回転できるように装着される。
【発明の効果】
【００１０】
本発明の有益な効果は：本発明は構造が簡単であり、操作が簡単であり、固定機構の中の引っ掛かり板と、連接ブロックと、挟みブロックとが協働して携帯の四周を固定し、携帯が滑り落ちないことを保証し、伸縮機構の中の移動ブロックが左右に移動し、自撮り棒の長さを調節し、補助機構の中のブレスレットが手に固定され、自撮り棒が手から滑り落ちて地面に落ちることを避け、設備が壊れることにより生じた損失を減らし、第一支持ブロックと第二支持ブロックを広げ、平らな台で本発明設備を支持し、使用者の疲労を取り、取手機構の中の延長ブロックが回転し、延長ブロックと取手との間の距離を増加でき、使用者の握られる長さを増やし、更に多くの人の握り心地に対する需要を満たすことができ、普及する価値がある。
【図面の簡単な説明】
【００１１】
【図１】図１は本発明の構成模式図
【図２】図２は図１の「Ａ−Ａ」方向の断面構成模式図
【図３】図２は図１の「Ｂ−Ｂ」方向の断面構成模式図
【発明を実施するための形態】
【００１２】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１３】
図１〜３を参照し、本発明の実施例の滑り防止固定自撮り棒は、位置制限ブロック５２を含み、前記位置制限ブロック５２の中には左方に開口した移動チャンバ２３が設置され、前記移動チャンバ２３の中には長さを調節できる伸縮機構７０が設置され、前記移動チャンバ２３の右側には取手２４が設置され、前記取手２４の中には延長できる取手機構８０が設置され、前記取手機構８０の中には回転溝２６と第一ネジ山孔３０とが設置され、前記伸縮機構７０の左側には固定機構９０が設置され、前記固定機構９０は固定ブロック１９を含み、前記固定ブロック１９の左側端面には引っ掛かりブロック４４が固定的に装着され、前記引っ掛かりブロック４４の中には上方に開口した第二ネジ山孔４３が設置され、前記第二ネジ山孔４３の後側にはバネ溝１７が上下対称的に設置され、前記伸縮機構７０の上方には補助機構１００が設置され、前記補助機構１００の中には連接帯３３が設置され、前記連接帯３３の右側端面には連接ブレスレット３２が固定的に連結されている。
【００１４】
有益的あるいは例示的には、前記伸縮機構７０は前記移動チャンバ２３の中にスライドできるように装着されている移動ブロック３６を含み、前記移動ブロック３６の中には伸縮溝３４が設置され、前記取手２４の左側端面は前記位置制限ブロック５２の右側端面と固定的に連結され、前記取手２４の左側端面には前記移動ブロック３６を貫通している伸縮ロッド２２が固定的に装着され、前記伸縮溝３４の中には伸縮ブロック３５がスライドできるように装着され、前記伸縮ブロック３５と前記伸縮ロッド２２とが固定的に連結され、これにより移動ブロック３６を引き動かし、伸縮ブロック３５を伸縮溝３４の中でスライドさせ、移動ブロック３６が移動チャンバ２３の中でスライドし、自撮り棒の長さを増やす。
【００１５】
有益的あるいは例示的には、前記固定機構９０は前記移動ブロック３６の左端端面に上下対称的に固定的に装着されている補助ブロック２１を含み、下側の前記補助ブロック２１の中には上方に開口した補助孔２０が設置され、前記補助孔２０の中には上側の前記補助ブロック２１を貫通している補助ロッド３７がネジ山により装着され、前記補助ロッド３７の頂部端面には補助回転盤３８が固定的に装着され、前記補助ブロック２１の間には固定ブロック１９がスライドできるように装着され、前記固定ブロック１９と前記引っ掛かりブロック４４とが固定的に連結され、前記第二ネジ山孔４３の中には第二ネジ山ロッド３９がスライドできるように装着され、前記第二ネジ山ロッド３９には挟みブロック４１が回転できるように装着され、前記挟みブロック４１の底部端面には第二パッド４２が固定的に装着され、前記第二ネジ山ロッド３９の頂部端面には回転盤４０が固定的に装着され、前記バネ溝１７の中にはスライドロッド１１がスライドできるように装着され、前記スライドロッド１１の右側端面と前記バネ溝１７の右側内壁との間にはバネ１８が固定的に装着され、前記スライドロッド１１の左側端面には引っ掛かり板１３が固定的に装着され、前記引っ掛かり板１３の右側端面には第一パッド１４が上下対称的に固定的に装着され、前記引っ掛かり板１３の左側端面には引きブロック１２が固定的に装着され、前記引っ掛かりブロック４４の底部端面には連接ブロック１６が固定的に装着され、前記連接ブロック１６の頂部端面には第三パッド１５が固定的に装着され、これにより引きブロック１２を引き動かし、携帯を引っ掛かり板１３と引っ掛かりブロック４４との間に置き、バネ１８により携帯の左右側を固定し、回転盤４０を回転させて第二ネジ山ロッド３９を連動させて回転させ、挟みブロック４１と連接ブロック１６とが携帯の上下側を固定し、携帯が滑り落ちないことを保証する。
【００１６】
有益的あるいは例示的には、前記取手機構８０は前記取手２４の右側端面に固定的に装着されている第一ネジ山ロッド２９を含み、前記回転溝２６の中には回転ブロック２７がスライドできるように装着され、前記回転ブロック２７の右側端面には延長ブロック２８が固定的に装着され、前記第一ネジ山孔３０が前記延長ブロック２８の左側端面に設置され、前記第一ネジ山孔３０と前記第一ネジ山ロッド２９とがネジ山により連結され、前記取手２４の外側には取手カバー２５が被せられ、これにより延長ブロック２８を回転させ、回転ブロック２７を回転溝２６の中でスライドさせ、第一ネジ山ロッド２９と取手２４との間の距離を増やす。
【００１７】
有益的あるいは例示的には、前記補助機構１００は前記ブレスレット３２に固定的に装着されている面ファスナー３１を含み、前記連接帯３３と前記位置制限ブロック５２とが固定的に連結され、前記移動ブロック３６の後側端面には固定板４８が上下対称的に固定的に装着され、上下の前記固定板４８の間には第一回転ロッド４７が回転できるように装着され、前記第一回転ロッド４７には第一支持ブロック４９が回転できるように装着され、前記第一支持ブロック４９の中には前方に開口した支持チャンバ５１が設置され、前記支持チャンバ５１の上下内壁の間には第二回転ロッド４６が回転できるように装着され、前記第二回転ロッド４６には第二支持ブロック５０が回転できるように装着され、これにより手にブレスレット３２をつけ、面ファスナー３１を利用してブレスレット３２を貼り付け、自撮り棒の落ちることを避け、第一支持ブロック４９を回転させた後で第二支持ブロック５０を回転させ、八の字形を形成し、支持することができる。
【００１８】
使用するとき、移動ブロック３６を引き動かし、伸縮ブロック３５を伸縮溝３４の中でスライドさせ、移動ブロック３６が移動チャンバ２３の中でスライドし、自撮り棒の長さを増やし、引きブロック１２を引き動かし、携帯を引っ掛かり板１３と引っ掛かりブロック４４との間に置き、バネ１８により携帯の左右側を固定し、回転盤４０を回転させて第二ネジ山ロッド３９を連動させて回転させ、挟みブロック４１と連接ブロック１６とが携帯の上下側を固定し、携帯が滑り落ちないことを保証し、延長ブロック２８を回転させ、回転ブロック２７を回転溝２６の中でスライドさせ、第一ネジ山ロッド２９と取手２４との間の距離を増やし、サイズが異なる手が握り心地に対する需要を満たし、手にブレスレット３２をつけ、面ファスナー３１を利用してブレスレット３２を貼り付け、自撮り棒の落ちることを避け、第一支持ブロック４９を回転させた後で第二支持ブロック５０を回転させ、八の字形を形成し、支持することができる。
【００１９】
本発明の有益な効果は：本発明は構造が簡単であり、操作が簡単であり、固定機構の中の引っ掛かり板と、連接ブロックと、挟みブロックとが協働して携帯の四周を固定し、携帯が滑り落ちないことを保証し、伸縮機構の中の移動ブロックが左右に移動し、自撮り棒の長さを調節し、補助機構の中のブレスレットが手に固定され、自撮り棒が手から滑り落ちて地面に落ちることを避け、設備が壊れることにより生じた損失を減らし、第一支持ブロックと第二支持ブロックを広げ、平らな台で本発明設備を支持し、使用者の疲労を取り、取手機構の中の延長ブロックが回転し、延長ブロックと取手との間の距離を増加でき、使用者の握られる長さを増やし、更に多くの人の握り心地に対する需要を満たすことができ、普及する価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。